(57)【要約】【課題】長波長側の波長領域の紫外線の照射によっても、オフセットの発生を抑制して高速記録を実現すると共に、保存安定性に優れた紫外線硬化型水性インクを提供すること。【解決手段】紫外線重合性化合物と、３７５ｎｍ以上４５０ｎｍ以下の波長領域に吸収ピークを持つ非水溶性のチオキサントン化合物と、非水溶性の３級アミン化合物と、水と、チオキサントン化合物及び３級アミン化合物を溶解する溶媒（Ａ）を少なくとも含む水溶性有機溶媒と、を含む紫外線硬化型水性インクである。【選択図】なし【特許請求の範囲】
【請求項１】
紫外線重合性化合物と、
３７５ｎｍ以上４５０ｎｍ以下の波長領域に吸収を持つ非水溶性のチオキサントン化合物と、
非水溶性の３級アミン化合物と、
水と、
前記チオキサントン化合物及び前記３級アミン化合物を溶解する溶媒（Ａ）を少なくとも含む水溶性有機溶媒と、
を含む紫外線硬化型水性インク。
【請求項２】
前記溶媒（Ａ）における前記チオキサントン化合物及び前記３級アミン化合物の溶解度が、各々８質量％以上である請求項１に記載の紫外線硬化型水性インク。
【請求項３】
前記溶媒（Ａ）が、モルホリン骨格を持つ化合物である請求項１又は２に記載の紫外線硬化型水性インク。
【請求項４】
請求項１〜３のいずれか１項に記載の紫外線硬化型水性インクを収容したインクカートリッジ。
【請求項５】
請求項１〜３のいずれか１項に記載の紫外線硬化型水性インクを吐出する吐出装置と、
吐出された前記紫外線硬化型水性インクに対して、３７５ｎｍ以上４５０ｎｍ以下の波長領域の紫外線を照射する紫外線照射装置と、
を備える記録装置。
【請求項６】
請求項１〜３のいずれか１項に記載の紫外線硬化型水性インクを吐出する工程と、
吐出された前記紫外線硬化型水性インクに対して、３７５ｎｍ以上４５０ｎｍ以下の波長領域の紫外線を照射する工程と、
を有する記録方法。
【発明の詳細な説明】
【技術分野】
【０００１】
本発明は、紫外線硬化型水性インク、インクカートリッジ、記録装置及び記録方法に関する。
【背景技術】
【０００２】
特許文献１には、「色材と、水と、光重合性開始剤と、紫外線硬化性樹脂と、水溶性有機溶剤とを含み、前記水溶性有機溶剤が、３〜１０員環の複素環式化合物であって環構造中に特定の構造を含む複素環式化合物を含み、前記光重合性開始剤が、３８０ｎｍ未満の波長領域に吸収をもつ第一の光重合開始剤と、３８０ｎｍ以上の波長領域に吸収をもつ第二の光重合開始剤の少なくとも二種からなるインクジェット用インク」が開示されている。
【０００３】
特許文献２には、「少なくとも水、水溶性溶媒、エチレン性不飽和基を有する化合物、及び光開始剤として特定の構造を持つベンゾフェノン化合物または特定の構造を持つチオキサントン化合物を含有することを特徴とする紫外線硬化インク」が開示されている。
【先行技術文献】
【特許文献】
【０００４】
【特許文献１】特開２０１０−２２９１８１号公報
【特許文献２】特開２００８−２８０４２７号公報
【発明の概要】
【発明が解決しようとする課題】
【０００５】
本発明の課題は、長波長側の波長領域の紫外線の照射によっても、記録媒体が重ねられたときに重ねた記録媒体にインクが転写又は記録媒体を巻き取る部材にインクが転写する現象（以下「オフセット」を称する）の発生を抑制して高速記録を実現すると共に、保存安定性に優れた紫外線硬化型水性インクを提供することである。
【課題を解決するための手段】
【０００６】
上記課題は、以下の手段により解決される。即ち、
請求項１に係る発明は、
紫外線重合性化合物と、
３７５ｎｍ以上４５０ｎｍ以下の波長領域に吸収を持つ非水溶性のチオキサントン化合物と、
非水溶性の３級アミン化合物と、
水と、
前記チオキサントン化合物及び前記３級アミン化合物を溶解する溶媒（Ａ）を少なくとも含む水溶性有機溶媒と、
を含む紫外線硬化型水性インク。
【０００７】
請求項２に係る発明は、
前記溶媒（Ａ）における前記チオキサントン化合物及び前記３級アミン化合物の溶解度が、各々８質量％以上である請求項１に記載の紫外線硬化型水性インク。
【０００８】
請求項３に係る発明は、
前記溶媒（Ａ）が、モルホリン骨格を持つ化合物である請求項１又は２に記載の紫外線硬化型水性インク。
【０００９】
請求項４に係る発明は、
請求項１〜３のいずれか１項に記載の紫外線硬化型水性インクを収容したインクカートリッジ。
【００１０】
請求項５に係る発明は、
請求項１〜３のいずれか１項に記載の紫外線硬化型水性インクを吐出する吐出装置と、
吐出された前記紫外線硬化型水性インクに対して、３７５ｎｍ以上４５０ｎｍ以下の波長領域の紫外線を照射する紫外線照射装置と、
を備える記録装置。
【００１１】
請求項６に係る発明は、
請求項１〜３のいずれか１項に記載の紫外線硬化型水性インクを吐出する工程と、
吐出された前記紫外線硬化型水性インクに対して、３７５ｎｍ以上４５０ｎｍ以下の波長領域の紫外線を照射する工程と、
を有する記録方法。
【発明の効果】
【００１２】
請求項１、２、又は３に係る発明によれば、３７５ｎｍ以上４５０ｎｍ以下の波長領域に吸収を持つ非水溶性のチオキサントン化合物及び非水溶性の３級アミン化合物と、これらを溶解する溶媒（Ａ）を少なくとも含む水溶性有機溶媒と、を併用しない場合に比べ、長波長側の波長領域の紫外線の照射によっても、オフセットの発生を抑制して高速記録を実現すると共に、保存安定性に優れた紫外線硬化型水性インクが提供される。
【００１３】
請求項４に係る発明によれば、３７５ｎｍ以上４５０ｎｍ以下の波長領域に吸収を持つ非水溶性のチオキサントン化合物及び非水溶性の３級アミン化合物と、これらを溶解する溶媒（Ａ）を少なくとも含む水溶性有機溶媒と、を併用しないインクを適用した場合に比べ、長波長側の波長領域の紫外線の照射によっても、オフセットの発生を抑制して高速記録を実現すると共に、保存安定性に優れた紫外線硬化型水性インクを収容したインクカートリッジが提供される。
【００１４】
請求項５、又は６に係る発明によれば、３７５ｎｍ以上４５０ｎｍ以下の波長領域に吸収を持つ非水溶性のチオキサントン化合物及び非水溶性の３級アミン化合物と、これらを溶解する溶媒（Ａ）を少なくとも含む水溶性有機溶媒と、を併用しないインクを適用した場合に比べ、長波長側の波長領域の紫外線の照射によっても、オフセットの発生を抑制して高速記録を実現する記録装置、又は記録方法が提供される。
【図面の簡単な説明】
【００１５】
【図１】本実施形態に係るインクジェット記録装置を示す概略構成図である。
【図２】本実施形態に係るインクジェット記録装置における記録ヘッド周辺を示す部分平面図である。
【発明を実施するための形態】
【００１６】
以下、本発明の一例である実施形態について詳細に説明する。
【００１７】
［紫外線硬化型水性インク］
本実施形態に係る紫外線硬化型水性インク（以下「インク」と称する）は、紫外線重合性化合物、紫外線重合開始剤、水素供与剤（紫外線重合開始助剤）、水、及び水溶性有機溶媒を含む。
本実施形態に係るインクは、紫外線重合開始剤として３７５ｎｍ以上４５０ｎｍ以下の波長領域に吸収（つまり光吸収分解波長）を持つ非水溶性のチオキサントン化合物と、水素供与剤（重合開始助剤）として非水溶性の３級アミン化合物と、を含む、そして、水溶性有機溶媒は、チオキサントン化合物及び３級アミン化合物を溶解する溶媒（Ａ）を少なくとも含む。
【００１８】
ここで、近年、紫外線硬化型インクを利用する記録装置では、水銀ランプ又はメタルハライドランプといった短波長側の紫外線を照射する従来のランプに比べて、エネルギー効率の良い可視域に近い長波長側の波長領域（３７５ｎｍ以上４５０ｎｍ以下の波長領域）の紫外線を照射する光源［例えば紫外線発光ダイオード（Ｕｌｔｒａｖｉｏｌｅｔ  Ｌｉｇｈｔ  Ｅｍｉｔｔｉｎｇ  Ｄｉｏｄｅ；以下「ＵＶ−ＬＥＤ」）］の搭載が検討されている。
【００１９】
一方、紫外線硬化型インクのうち、油性インクは、その揮発性の低さ又は記録媒体への浸透性の低さから、インクによる記録面（印字面）の平滑性が劣ることが知られている。このため、揮発性及び記録媒体への浸透性に富む水性インクを利用する要求が高まっている。
【００２０】
しかしながら、紫外線硬化型水性インクにおいて、水中での紫外線重合開始剤及び水素供与剤の溶解性又は分散性が低いと、紫外線重合性化合物の重合速度（硬化速度）が低下し、記録媒体として枚葉紙、ロール紙に関わらず、オフセットが発生して、高速記録の実現が困難になる場合がある。また、インク中に紫外線重合開始剤及び水素供与剤が経時的に析出して、インクの保存安定性が悪化する場合がある。
【００２１】
特に、紫外線重合開始剤として３７５ｎｍ以上４５０ｎｍ以下の波長領域に吸収を持つ非水溶性のチオキサントン化合物と、水素供与剤（重合開始助剤）として非水溶性の３級アミン化合物と、を併用した系では、紫外線重合性化合物の硬化能が高い材料系であるが、水中での溶解性又は分散性を高める技術が確立されていないのが現状である。なお、チオキサントン化合物を水溶化する技術もあるが、未だ十分でないのが現状である。
【００２２】
そこで、本実施形態に係るインクでは、上記組成により、長波長側の波長領域（３７５ｎｍ以上４５０ｎｍ以下の波長領域）の紫外線の照射によっても、オフセット（記録媒体が重ねられたときに重ねた記録媒体にインクが転写又は記録媒体を巻き取る部材にインクが転写する現象）の発生を抑制して高速記録を実現すると共に、保存安定性に優れたものとなる。
【００２３】
この理由は定かではないが、長波長側の波長領域（３７５ｎｍ以上４５０ｎｍ以下の波長領域）の紫外線の照射による紫外線重合性化合物の重合を実現するため紫外線重合開始剤として３７５ｎｍ以上４５０ｎｍ以下の波長領域に吸収を持つ非水溶性のチオキサントン化合物、及び水素供与剤（紫外線重合開始助剤）非水溶性の３級アミン化合物を適用すると共に、水溶性有機溶媒として、これらを溶解する溶媒を併用することにより、非水溶性の材料であっても当該チオキサントン化合物及び３級アミン化合物は水中で見かけ上溶解した状態となり、その分散性が高まるものと考えられる。このチオキサントン化合物及び３級アミン化合物の分散性が高まると、紫外線重合性化合物の周囲に存在し易くなり、紫外線の照射による重合速度（硬化速度）が高まるものと考えられる。また、水中でのチオキサントン化合物及び３級アミン化合物の経時的な析出も抑制されると考えられる。
【００２４】
このため、本実施形態に係るインクでは、上記組成により、長波長側の波長領域（３７５ｎｍ以上４５０ｎｍ以下の波長領域）の紫外線の照射によっても、オフセットの発生を抑制して高速記録を実現すると共に、保存安定性に優れたものとなると考えられる。
【００２５】
以下、本実施形態に係るインクについて詳細に説明する。
【００２６】
本実施形態に係るインクは、紫外線重合性化合物と、紫外線重合開始剤と、水素供与剤（紫外線重合開始助剤）と、水と、水溶性有機溶媒と、を含む。水性インクは、必要に応じて、着色剤、界面活性剤、及びその他の添加剤を含んでもよい。
【００２７】
（紫外線重合性化合物）
紫外線重合性化合物としては、紫外線によってラジカル重合する重合性基を有する化合物等が挙げられ、モノマー、オリゴマー、又はこれらを含む混合物であってもよい。この重合性基としては、例えば、エチレン性不飽和二重結合を有する基が挙げられ、具体的には、例えば、アクリロイル基、メタクリロイル基、ビニル基、ビニルエーテル基、無水マレイン酸基、Ｎ−置換マレイミド基等が挙げられる。
【００２８】
紫外線重合性化合物は、水溶性の紫外線重合性化合物であってもよいし、非水溶性の紫外線重合性化合物であってもよい。なお、紫外線重合性化合物において、水溶性とは、２５℃の水１００質量部に対する対象物質の溶解量が５質量部以上（好ましくは１０質量部以上）であることを意味する。一方、非水溶性とは、２５℃の水１００質量部に対する対象物質の溶解量が５質量部未満であることを意味する。
【００２９】
水溶性の紫外線重合性化合物としては、周知の紫外線重合性化合物が挙げられ、具体的には、アクリロイルモロフォリン（ＡＣＭＯ）、ヒドロキシエチルアクリルアマイド（ＨＥＡＡ）、ダイアセトンアクリルアマイド、Ｎ−ビニル−２−ピロリドン、Ｎ−ビニル−ホルムアミド、ビニルナフタレンスルホン酸、ヒドロキシエチル（メタ）アクリレート、メトキシポリエチレングリコールメタクリレート、メトキシポリエチレングリコールアクリレート、無水琥珀酸と２−ヒドロキシエチル（メタ）アクリレートとのエステル、オルソ無水フタル酸と２−ヒドロキシエチル（メタ）アクリレートとのエステル等のラジカル重合性モノマーが挙げられる。
水溶性の紫外線重合性モノマーとしては、多価アルコールの（メタ）アクリル酸エステル、多価アルコールから誘導されるグリシジルエーテルの（メタ）アクリル酸エステル等のラジカル重合性モノマーも挙げられる。
水溶性の紫外線重合性化合物としては、水溶性の紫外線重合性モノマーが目的とする重合度で重合したオリゴマーも挙げられる。
【００３０】
非水溶性の紫外線重合性化合物としては、周知の非水溶性の紫外線重合性物質が挙げられ、具体的には、非水溶性の紫外線重合性物質としては、アルコール、多価アルコール又はアミノアルコール類のアクリル酸エステル；アルコール又は多価アルコール類のメタクリル酸エステル；アクリル脂肪族アミド；アクリル脂環アミド；アクリル芳香族アミド類等のラジカル重合性モノマーが挙げられる。
非水溶性の紫外線重合性化合物としては、非水溶性の紫外線重合性モノマーが目的とする重合度で重合したオリゴマー；エポキシ骨格、ウレタン骨格、ポリエステル骨格又はポリエーテル骨格にアクリロイル基又はメタクリロイル基の付加したアクリレート（エポキシアクリレート、ウレタンアクリレート、ポリエステルアクリレート、ポリエーテルアクリレート、ウレタンメタクリレート、ポリエステルメタクリレート等）のオリゴマー；も挙げられる。
【００３１】
なお、非水溶性の紫外線重合性化合物は、周知の手法によりエマルジョン化（乳化）して水性インク中に分散される。非水溶性の紫外線重合性物質は、自己エマルジョン化型（自己乳化型）であってもよいし、分散剤によりエマルジョン化（乳化）するものであってもよい。
【００３２】
紫外線重合性化合物は、１種単独で用いてもよいし、２種以上併用してもよい。
【００３３】
紫外線重合性化合物の含有量（濃度）は、例えば、インクに対して５質量％以上７０質量％以下が好ましく、１０質量％以上６０質量％以下がより好ましく、１５質量％以上５０質量％以下がさらに好ましい。
【００３４】
（紫外線重合開始剤）
紫外線重合開始剤としては、非水溶性のチオキサントン化合物が適用される。なお、紫外線重合開始剤において、水溶性とは、２５℃の水１００質量部に対する対象物質の溶解量が０．１質量部以上であることを意味する。一方、非水溶性とは、２５℃の水１００質量部に対する対象物質の溶解量が０．１質量部未満であることを意味する。
【００３５】
チオキサントン化合物は、３７５ｎｍ以上４５０ｎｍ以下の波長領域に吸収を持つチオキサントン化合物が適用される。つまり、チオキサントン化合物は、３７５ｎｍ以上４５０ｎｍ以下の波長領域の紫外線の照射によりラジカルを発生する化合物が適用される。
【００３６】
チオキサントン化合物としては、例えば、下記一般式（ＴＫ）で示されるチオキサントン化合物が挙げられる。
【００３７】
【化１】
2014227523.tif 000002
【００３８】
一般式（ＴＫ）中、Ｒｔ１及びＲｔ２は、各々独立に、ハロゲン原子、置換若しくは無置換のアルキル基、置換若しくは無置換のアルキル基とエステル基が結合した基、又は置換若しくは無置換のアルキルエーテル基を示す。ｍｔ及びｎｔは、各々独立に、０、又は１以上３以下の整数を示す。
なお、ｍｔが各々２以上の整数を示す場合、複数のＲｔ１は互いに同じ基を示してよいし、異なる基を示してよい。同様に、ｎｔが各々２以上の整数を示す場合、複数のＲｔ２は互いに同じ基を示してよいし、異なる基を示してよい。
【００３９】
一般式（ＴＫ）中、Ｒｔ１及びＲｔ２が示すハロゲン原子としては、フッ素原子、塩素原子、臭素原子が挙げられる。
Ｒｔ１及びＲｔ２が示すアルキル基としては、直鎖状又は分岐状のいずれであってもよく、炭素数１以上１０以下（好ましくは１以上５以下、より好ましくは１以上３以下）のアルキル基が挙げられる。直鎖状のアルキル基としては、メチル基、エチル基、ｎ−プロピル基、ｎ−ブチル基、ｎ−ペンチル基、ｎ−ヘキシル基、ｎ−オクチル基、ｎ−ノニル基等が挙げられる。分岐状のアルキル基としては、イソプロピル基、イソブチル基、ｓｅｃ−ブチル基、ｔｅｒｔ−ブチル基、イソヘキシル基、２−エチルヘキシル基等が挙げられる。
Ｒｔ１及びＲｔ２が示すアルキルエーテル基としては、直鎖状又は分岐状のいずれであってもよく、炭素数１以上１０以下（好ましくは１以上５以下、より好ましくは１以上３以下）のアルコキシ基が挙げられる。直鎖状のアルコキシ基としては、メトキシ基、エトキシ基、ｎ−プロポキシ基、ｎ−ブトキシ基等が挙げられる。分岐状のアルキル基としては、イソプロピル基、イソブチル基、ｓｅｃ−ブチル基、ｔｅｒｔ−ブチル基、２−エチルヘキシル基等が挙げられる。
Ｒｔ１及びＲｔ２が示すアルキル基、又はアルキルエーテル基に置換し得る置換基としては、水酸基、アミノ基、アルコキシ基、アミド基、カルボニル基、ハロゲン原子等が挙げられる。
【００４０】
一般式（ＴＫ）で示されるチオキサントン化合物としては、Ｒｔ１がアルキル基を示し、ｍｔが０、又は１以上２以下の整数を示し、ｎｔが０を示す化合物が好適である。
【００４１】
チオキサントン化合物の具体例としては、例えば、イソプロピルチオキサントン、ジエチルチオキサントン、クロロチオキサントン、ジメチルチオキサントン、メチルエチルキサントン、メチルイソプロピルキサントン等が挙げられる。
【００４２】
ここで、紫外線重合開始剤は、必要に応じて、チオキサントン化合物以外の他の紫外線重合開始剤を併用してもよい。但し、他の紫外線重合開始剤は、紫外線重合開始剤全体の２０質量％以下で併用することがよい。
【００４３】
他の紫外線重合開始剤としては、水溶性の紫外線重合開始剤であってもよいし、非水溶性の紫外線重合開始剤であってもよい。
【００４４】
水溶性の他の紫外線重合開始剤としては、ヒドロキシアセトフェノン類（１−フェニル−２−ヒドロキシ−２−メチル−１−プロパノン、１−ヒドロキシ−シクロヘキシル−フェニル−ケトン、１−［４−（２−ヒドロキシエトキシ）−フェニル］−２−ヒドロキシ−２−メチル−１−プロパノン等）、アミノアセトフェノン類（２−メチル−１−（４−メチルチオフェニル）−２−モルフォリノプロパン−１−オン、２−ベンジル−２−ジメチルアミノ−１−（４−モルフォリノフェニル）−ブタン−１−オン等）、チオキサントンアンモニウム塩、ベンゾフェノンアンモニウム塩等の周知の紫外線重合開始剤が挙げられる。
【００４５】
非水溶性の他の紫外線重合開始剤としては、ベンゾイン化合物（ベンゾインエチルエーテル、ベンゾインイソプロピルエーテル等）、ベンゾフェノン、アシルホスフィンオキサイド化合物（ビス（２，４，６−トリメチルベンゾイル）−フェニルホスフィンオキサイド、ビス（２，６−ジメトキシベンゾイル）−２，４，４−トリメチルペンチルホスフィンオキサイド、２，４，６−トリメチルベンゾイルフェニルエトキシホスフィンオキサイド、２，４，６−トリメチルベンゾイルジフェニルホスフィンオキサイド）、アントラキノン化合物（エチルアントラキノン等）等の周知の紫外線重合開始剤が挙げられる。
【００４６】
なお、非水溶性の他の紫外線重合開始剤は、分散剤等を利用した周知の手法によりエマルジョン化（乳化）して水性インク中に分散させてもよいし、水溶性有機溶媒により溶解又は分散してインク中に分散させてもよい。
【００４７】
紫外線重合開始剤は、１種類で使用しても２種類以上を併用してもよい。
【００４８】
紫外線重合開始剤の含有量は、例えば、インクに対して０．１質量％以上２０質量％以下が好ましく、０．１質量％以上１０質量％以下がより好ましく、０．５質量％以上１０質量％以下がさらに好ましい。
【００４９】
（水素供与剤（紫外線重合開始助剤））
水素供与剤（紫外線重合開始助剤）は、非水溶性の３級アミン化合物が適用される。なお、水素供与剤において、水溶性とは、２５℃の水１００質量部に対する対象物質の溶解量が１質量部以上であることを意味する。一方、非水溶性とは、２５℃の水１００質量部に対する対象物質の溶解量が１質量部未満であることを意味する。
【００５０】
３級アミン化合物としては、芳香族基を含むアミンが挙げられ、具体的には、安息香酸骨格を含むアミン化合物（例えば下記一般式（ＡＭ）で示される３級アミン化合物）が挙げられる。
【００５１】
【化２】
2014227523.tif 000003
【００５２】
一般式（ＡＭ）中、Ｒａ１及びＲａ２は、各々独立に、置換若しくは無置換のアルキル基、又は置換若しくは無置換のアルキル基とエステル基とが結合した基を示す。Ｒａ１とＲａ２が連結し、無置換若しくは置換された脂環式構造又はヘテロ原子を含む多員環構造をとっていてもよい。Ｒａ３は、置換若しくは無置換のアルキル基、又は置換若しくは無置換のアルキル基とエステル基とが結合した基を示す。
【００５３】
一般式（ＡＭ）中、Ｒａ１及びＲａ２が示すアルキル基としては、直鎖状又は分岐状のいずれであってもよく、炭素数１以上１０以下（好ましくは１以上７以下、より好ましくは１以上４以下）のアルキル基が挙げられる。直鎖状のアルキル基としては、メチル基、エチル基、ｎ−プロピル基、ｎ−ブチル基、ｎ−ペンチル基、ｎ−ヘキシル基、ｎ−オクチル基、ｎ−ノニル基等が挙げられる。分岐状のアルキル基としては、イソプロピル基、イソブチル基、ｓｅｃ−ブチル基、ｔｅｒｔ−ブチル基、イソヘキシル基、２−エチルヘキシル基等が挙げられる。
Ｒａ１とＲａ２が連結した脂環構造又はヘテロ原子を含む多員環構造としては、一般式（ＡＭ）に記載されているＮ原子も含んだ形で、ピペリジニル基、ピペラジニル基、モルホリノ基等が挙げられる。
Ｒａ１及びＲａ２が示すアルキル基、又は多員環構造に置換し得る置換基としては、水酸基、アミノ基、アルコキシ基、アミド基、カルボニル基、ハロゲン原子等が挙げられる。
【００５４】
一般式（ＡＭ）中、Ｒａ３が示すアルキル基としては、直鎖状又は分岐状のいずれであってもよく、炭素数１以上１０以下（好ましくは１以上８以下、より好ましくは１以上５以下）のアルキル基が挙げられる。直鎖状のアルキル基としては、メチル基、エチル基、ｎ−プロピル基、ｎ−ブチル基、ｎ−ペンチル基、ｎ−ヘキシル基、ｎ−オクチル基、ｎ−ノニル基等が挙げられる。分岐状のアルキル基としては、イソプロピル基、イソブチル基、ｓｅｃ−ブチル基、ｔｅｒｔ−ブチル基、イソヘキシル基、２−エチルヘキシル基等が挙げられる。
Ｒａ３が示すアルキル基に置換し得る置換基としては、水酸基、アミノ基、アルコキシ基、アミド基、カルボニル基、ハロゲン原子等が挙げられる。
【００５５】
一般式（ＡＭ）で示される３級アミン化合物の具体例としては、２−ジメチルアミノ安息香酸エチル、４−ジメチルアミノ安息香酸エチル、４−ジメチルアミノ安息香酸イソアミル、４−ジメチルアミノ安息香酸メチル、４−ジメチルアミノ安息香酸３−メチルブチル、４−ジメチルアミノ安息香酸２−エチルヘキシル、ｐ−ピペリジニル安息香酸メチル、ｐ−ピペリジニル安息香酸エチル、ｐ−ピペラジニル安息香酸メチル、ｐ−ピペラジニル安息香酸エチル、ｐ−モルホリノ安息香酸メチル、ｐ−モルホリノ安息香酸エチル、４−ジエチルアミノ安息香酸メチル、４−ジエチルアミノ安息香酸３−メチルブチル、２−ジエチルアミノ安息香酸エチル、４−ジエチルアミノ安息香酸エチル、４−ジエチルアミノ安息香酸イソアミル等が挙げられる。
【００５６】
３級アミン化合物としては、一般式（ＡＭ）で示される３級アミン化合物以外に、トリプロピルアミン、トリブチルアミン、ジメチルフェニルピペラジン、１−（２−エトキシフェニルピペラジン、１−（２，６−ジメトキシフェニル）ピペラジン等も挙げられる。
【００５７】
ここで、水素供与剤（紫外線重合開始助剤）は、必要に応じて、非水溶性の３級アミン化合物以外の他の水素供与剤を併用してもよい。但し、他の水素供与剤は、水素供与剤全体の２０質量％以下で併用することがよい。
【００５８】
他の水素供与剤としては、脂肪族アミン、芳香族基を含むアミン（ピペリジン）、トリエタノールアミン等のアミン含有化合物；アリル尿素、ｏ−トリルチオ尿素等の尿素含有化合物；ナトリウムジエチルジチオホスフェート、芳香族スルフィン酸の可溶性塩等のイオウ含有化合物；Ｎ、Ｎ、ジ置換ｐアミノベンゾニトリル等のニトリル含有化合物；トリｎブチルホスフィン、ネトリウムジエチルジチオホスフィード等のリン含有化合物；ミヒラーケトン、Ｎニトリソヒドロキシルアミン誘導体、オキサゾリジン化合物、テトラヒドロ−１，３−オキサジン化合物、アルデヒド（ホルムアルデヒドまたはアセトアルデヒド）及びジアミンの縮合物等の窒素含有化合物；エポキシ樹脂とアミンの反応生成物の高分子化アミン；トリエタノールアミントリアクリレート等の周知の水素供与剤が挙げられる。
【００５９】
水素供与剤は、１種類で使用しても２種類以上を併用してもよい。
【００６０】
水素供与剤の含有量は、例えば、インクに対して０．０１質量％以上２０質量％以下が好ましく、０．０１質量％以上１０質量％以下がより好ましく、０．１質量％以上１０質量％以下がさらに好ましい。
【００６１】
（水）
水としては、特に不純物の混入、又は微生物の発生を防止するという観点から、イオン交換水、超純水、蒸留水、限外濾過水が好適に挙げられる。
【００６２】
水の含有量は、例えば、インクに対して１０質量％以上９０質量％以下が好ましく、２０質量％以上８０質量％以下がより好ましい。
【００６３】
（水溶性有機溶媒）
水溶性有機溶媒としては、紫外線重合開始剤としての非水溶性のチオキサントン化合物及び水素供与剤としての非水溶性の３級アミン化合物を溶解する溶媒（Ａ）を少なくとも含む。なお、水溶性有機溶媒において、水溶性とは、２５℃の水１００質量部に対する対象物質の溶解量が１質量部以上であることを意味する。
【００６４】
溶媒（Ａ）は、チオキサントン化合物及び３級アミン化合物の溶解度が、例えば、各々８質量％以上（好ましくは１０質量％以上、より好ましくは１２質量％以上）である溶媒であることがよい。但し、この溶解度とは、２５℃の溶媒（Ａ）１００質量部に対する対象物質の溶解量の割合である。
【００６５】
溶媒（Ａ）としては、モルホリン骨格を持つ化合物が好適に挙げられ、具体的には、例えば、下記一般式（ＭＯ）で示されるモルホリン化合物が挙げられる。
【００６６】
【化３】
2014227523.tif 000004
【００６７】
一般式（ＭＯ）中、Ｒｍ１は、メチル基、水酸基、カルボキシル基、アミノ基又はハロゲンを示す。Ｒｍ２は、置換若しくは無置換のアルキレン基、カルボニル基、エステル基、又はこれらを組み合わせた基を示す。但し、Ｒｍ２は単結合を示してもよい。Ｒｍ２が単結合を示す場合、一般式（ＭＯ）で示されるモルホリン化合物は、Ｒｍ２がなくＲｍ１がモルホリン骨格に直結している化合物となる。
ここで、Ｒｍ２が示すアルキレン基は、直鎖状又は分岐状のいずれであってもよく、炭素数１以上５以下（好ましくは１以上３以下）のアルキレン基が挙げられる。直鎖状のアルキレン基としては、メチレン基、エチレン基、ｎ−プロピレン基、ｎ−ブチレン基、ｎ−ペンチレン基等が挙げられる。分岐状のアルキレン基としては、イソプロピレン基、イソブチレン基、ｓｅｃ−ブチレン基、ｔｅｒｔ−ブチレン基等が挙げられる。
Ｒｍ２が示すアルキレン基に置換し得る置換基としては、水酸基、カルボキシル基、アミノ基、ハロゲン原子等が挙げられる。
【００６８】
以下、一般式（ＭＯ）で示されるモルホリン化合物の具体例を例示するが、これに限られるものではない。
【００６９】
【化４】
2014227523.tif 000005
【００７０】
溶媒（Ａ）としては、上記一般式（ＭＯ）で示される以外のモルホリン骨格を有する化合物として、ジメチルモルホリンが挙げられる。
溶媒（Ａ）としては、さらにモルホリン骨格を持つ化合物以外に、アルコキシアルコールも挙げられる。
アルコキシアルコールとしては、２−（２−ブトキシエトキシ）エタノール、２−（２−（２−ブトキシエトキシ）エトキシ）エタノール、ジエチレングルコールモノプロピルエーテル、ジエチレングリコールヘキシルエーテル、ジエチレングリコールモノエチルエーテル等が挙げられる。
【００７１】
溶媒（Ａ）は、１種類で使用しても２種類以上を併用してもよい。
【００７２】
溶媒（Ａ）の含有量は、水溶性有機溶媒全体に対して３０質量％以上１００質量％以下が好ましく、４０質量％以上９５質量％以下がより好ましく、５０質量％以上９０質量％以下がさらに好ましい。
【００７３】
水溶性有機溶媒は、溶媒（Ａ）以外の他の水溶性有機溶媒を併用してもよい。
他の水溶性有機溶媒としては、多価アルコール類、多価アルコール類誘導体、含窒素溶媒、アルコール類、含硫黄溶媒等が挙げられる。水溶性有機溶媒としては、その他、炭酸プロピレン、炭酸エチレン等も挙げられる。
【００７４】
多価アルコール類としては、エチレングリコール、ジエチレングリコール、プロピレングリコール、ブチレングリコール、トリエチレングリコール、１，５−ペンタンジオール、１，２−へキサンジオール、１，２，６−ヘキサントリオール、グリセリン、トリメチロールプロパン、キシリトールなどの糖アルコール類；キシロース、グルコース、ガラクトースなどの糖類；等が挙げられる。
【００７５】
多価アルコール類誘導体としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、ジプロピレングリコールモノブチルエーテル、ジグリセリンのエチレンオキサイド付加物等が挙げられる。
【００７６】
含窒素溶媒としては、ピロリドン、Ｎ−メチル−２−ピロリドン、シクロヘキシルピロリドン、トリエタノールアミン等が挙げられる。
アルコール類としてはエタノール、イソプロピルアルコール、ブチルアルコール、ベンジルアルコール等が挙げられる。
含硫黄溶媒としては、チオジエタノール、チオジグリセロール、スルフォラン、ジメチルスルホキシド等が挙げられる。
【００７７】
水溶性有機溶媒は、１種類で使用しても２種類以上を併用してもよい。
【００７８】
水溶性有機溶媒の含有量は、水に対して１質量％以上６０質量％以下が好ましく、１質量％以上４０質量％以下がより好ましい。
【００７９】
（着色剤）
着色剤としては、顔料が挙げられる。顔料としては、有機顔料、無機顔料が挙げられる。
【００８０】
黒色顔料の具体例としては、Ｒａｖｅｎ７０００，Ｒａｖｅｎ５７５０，Ｒａｖｅｎ５２５０，Ｒａｖｅｎ５０００  ＵＬＴＲＡＩＩ，Ｒａｖｅｎ  ３５００，Ｒａｖｅｎ２０００，Ｒａｖｅｎ１５００，Ｒａｖｅｎ１２５０，Ｒａｖｅｎ１２００，Ｒａｖｅｎ１１９０  ＵＬＴＲＡＩＩ，Ｒａｖｅｎ１１７０，Ｒａｖｅｎ１２５５，Ｒａｖｅｎ１０８０，Ｒａｖｅｎ１０６０（以上コロンビアン・カーボン社製）、Ｒｅｇａｌ４００Ｒ，Ｒｅｇａｌ３３０Ｒ，Ｒｅｇａｌ６６０Ｒ，Ｍｏｇｕｌ  Ｌ，Ｂｌａｃｋ  Ｐｅａｒｌｓ  Ｌ，Ｍｏｎａｒｃｈ  ７００，Ｍｏｎａｒｃｈ  ８００，Ｍｏｎａｒｃｈ  ８８０，Ｍｏｎａｒｃｈ  ９００，Ｍｏｎａｒｃｈ  １０００，Ｍｏｎａｒｃｈ  １１００，Ｍｏｎａｒｃｈ  １３００，Ｍｏｎａｒｃｈ  １４００（以上キャボット社製）、Ｃｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  １８，Ｃｏｌｏｒ  Ｂｌａｃｋ  ＦＷ２００，Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ３５，Ｐｒｉｎｔｅｘ  Ｕ，Ｐｒｉｎｔｅｘ  Ｖ，Ｐｒｉｎｔｅｘ１４０Ｕ，Ｐｒｉｎｔｅｘ１４０Ｖ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，Ｓｐｅｃｉａｌ  Ｂｌａｃｋ４（以上デグッサ社製）、Ｎｏ．２５，Ｎｏ．３３，Ｎｏ．４０，Ｎｏ．４７，Ｎｏ．５２，Ｎｏ．９００，Ｎｏ．２３００，ＭＣＦ−８８，ＭＡ６００，ＭＡ７，ＭＡ８，ＭＡ１００（以上三菱化学社製）等を挙げられるが、これらに限定されるものではない。
【００８１】
シアン色顔料の具体例としては、Ｃ．Ｉ．Ｐｉｇｍｅｎｔ  Ｂｌｕｅ−１，−２，−３，−１５，−１５：１，−１５：２，−１５：３，−１５：４，−１６，−２２，−６０等が挙げられるが、これらに限定されるものではない。
マゼンタ色顔料の具体例としては、Ｃ．Ｉ．Ｐｉｇｍｅｎｔ  Ｒｅｄ−５，−７，−１２，−４８，−４８：１，−５７，−１１２，−１２２，−１２３，−１４６，−１６８，−１７７，−１８４，−２０２，  Ｃ．Ｉ．Ｐｉｇｍｅｎｔ  Ｖｉｏｌｅｔ  −１９等が挙げられるが、これらに限定されるものではない。
イエロー顔料の具体例としては、Ｃ．Ｉ．Ｐｉｇｍｅｎｔ  Ｙｅｌｌｏｗ−１，−２，−３，−１２，−１３，−１４，−１６，−１７，−７３，−７４，−７５，−８３，−９３，−９５，−９７，−９８，−１１４，−１２８，−１２９，−１３８，−１５１，−１５４，−１８０等が挙げられるが、これらに限定されるものではない。
【００８２】
ここで、着色剤として顔料を使用した場合には、併せて顔料分散剤を用いることが望ましい。使用可能な顔料分散剤としては、高分子分散剤、アニオン性界面活性剤、カチオン性界面活性剤、両性界面活性剤、ノニオン性界面活性剤等が挙げられる。
【００８３】
高分子分散剤としては、親水性構造部と疎水性構造部とを有する重合体が好適に用いられる。親水性構造部と疎水性構造部とを有する重合体としては、縮合系重合体と付加重合体とが使用できる。縮合系重合体としては、公知のポリエステル系分散剤が挙げられる。付加重合体としては、α，β−エチレン性不飽和基を有する単量体の付加重合体が挙げられる。親水基を有するα，β−エチレン性不飽和基を有する単量体と疎水基を有するα，β−エチレン性不飽和基を有する単量体を組み合わせて共重合することにより目的の高分子分散剤が得られる。また、親水基を有するα，β−エチレン性不飽和基を有する単量体の単独重合体も用いることができる。
【００８４】
親水基を有するα，β−エチレン性不飽和基を有する単量体としては、カルボキシル基、スルホン酸基、水酸基、りん酸基等を有する単量体、例えば、アクリル酸、メタクリル酸、クロトン酸、イタコン酸、イタコン酸モノエステル、マレイン酸、マレイン酸モノエステル、フマル酸、フマル酸モノエステル、ビニルスルホン酸、スチレンスルホン酸、スルホン化ビニルナフタレン、ビニルアルコール、アクリルアミド、メタクリロキシエチルホスフェート、ビスメタクリロキシエチルホスフェート、メタクリロオキシエチルフェニルアシドホスフェート、エチレングリコールジメタクリレート、ジエチレングリコールジメタクリレート等が挙げられる。
【００８５】
疎水基を有するα，β−エチレン性不飽和基を有する単量体としては、スチレン、α−メチルスチレン、ビニルトルエン等のスチレン誘導体、ビニルシクロヘキサン、ビニルナフタレン、ビニルナフタレン誘導体、アクリル酸アルキルエステル、メタクリル酸アルキルエステル、メタクリル酸フェニルエステル、メタクリル酸シクロアルキルエステル、クロトン酸アルキルエステル、イタコン酸ジアルキルエステル、マレイン酸ジアルキルエステル等が挙げられる。
【００８６】
高分子分散剤として望ましい共重合体の例としては、スチレン−スチレンスルホン酸共重合体、スチレン−マレイン酸共重合体、スチレン−メタクリル酸共重合体、スチレン−アクリル酸共重合体、ビニルナフタレン−マレイン酸共重合体、ビニルナフタレン−メタクリル酸共重合体、ビニルナフタレン−アクリル酸共重合体、アクリル酸アルキルエステル−アクリル酸共重合体、メタクリル酸アルキルエステル−メタクリル酸共重合体、スチレン−メタクリル酸アルキルエステル−メタクリル酸共重合体、スチレン−アクリル酸アルキルエステル−アクリル酸共重合体、スチレン−メタクリル酸フェニルエステル−メタクリル酸共重合体、スチレン−メタクリル酸シクロヘキシルエステル−メタクリル酸共重合体等が挙げられる。また、これらの重合体に、ポリオキシエチレン基、水酸基を有する単量体を共重合させてもよい。
【００８７】
高分子分散剤の重量平均分子量としては、例えば、２０００以上５００００以下がよい。
【００８８】
これら高分子分散剤は、単独で用いても、二種類以上を併用しても構わない。高分子分散剤の含有量は、顔料により大きく異なるため一概には言えないが、顔料に対し、０．１質量％以上１００質量％以下であることがよい。
【００８９】
顔料としては、水に自己分散可能な顔料（以下自己分散型顔料と称する）も挙げられる。
自己分散型顔料とは、顔料表面に水に対する可溶化基を有し、高分子分散剤が存在しなくとも水中で分散する顔料のことを指す。自己分散型顔料は、例えば、顔料に対して酸・塩基処理、カップリング剤処理、ポリマーグラフト処理、プラズマ処理、酸化／還元処理等の表面改質処理を施すことにより得られる。
【００９０】
自己分散型顔料としては、上記顔料に対して表面改質処理を施した顔料の他、キャボット社製のＣａｂ−ｏ−ｊｅｔ−２００、Ｃａｂ−ｏ−ｊｅｔ−３００、Ｃａｂ−ｏ−ｊｅｔ−４００、ＩＪＸ−１５７、ＩＪＸ−２５３、ＩＪＸ−２６６、ＩＪＸ−２７３、ＩＪＸ−４４４、ＩＪＸ−５５、Ｃａｂ−ｏ−ｊｅｔ−２５０Ｃ、Ｃａｂ−ｏ−ｊｅｔ−２６０Ｍ，Ｃａｂ−ｏ−ｊｅｔ−２７０Ｙ，Ｃａｂ−ｏ−ｊｅｔ−４５０Ｃ，Ｃａｂ−ｏ−ｊｅｔ−４６５Ｍ，Ｃａｂ−ｏ−ｊｅｔ−４７０Ｙ，Ｃａｂ−ｏ−ｊｅｔ−４８０Ｍ，オリエント化学社製のＭｉｃｒｏｊｅｔ  Ｂｌａｃｋ  ＣＷ−１、ＣＷ−２等の市販の自己分散顔料等も挙げられる。
【００９１】
自己分散型顔料としては、その表面に官能基として少なくともスルホン酸、スルホン酸塩、カルボン酸、又はカルボン酸塩を有する顔料であることが望ましい。より望ましくは、表面に官能基として少なくともカルボン酸、又はカルボン酸塩を有する顔料である。
【００９２】
ここで、顔料としては、樹脂により被覆された顔料等も挙げられる。これは、マイクロカプセル顔料と呼ばれ、ＤＩＣ社製、東洋インキ社製などの市販のマイクロカプセル顔料がある。なお、市販のマイクロカプセル顔料に限られず、目的に応じて作製したマイクロカプセル顔料を使用してもよい。
また、顔料としては、高分子化合物を顔料に物理的に吸着又は化学的に結合させた樹脂分散型顔料も挙げられる。
また、顔料としては、黒色とシアン、マゼンタ、イエローの３原色顔料のほか、赤、緑、青、茶、白等の特定色顔料や、金、銀色等の金属光沢顔料、無色又は淡色の体質顔料、プラスチックピグメント等も挙げられる。
また、顔料としては、シリカ、アルミナ、又は、ポリマービード等をコアとして、その表面に染料又は顔料を固着させた粒子、染料の不溶レーキ化物、着色エマルション、着色ラテックス等も挙げられる。
【００９３】
着色剤としては、顔料の他、その他、親水性のアニオン染料、直接染料、カチオン染料、反応性染料、高分子染料等や油溶性染料等の染料類、染料で着色したワックス粉・樹脂粉類やエマルション類、蛍光染料や蛍光顔料等も挙げられる。
【００９４】
着色剤の体積平均粒径は、例えば１０ｎｍ以上１０００ｎｍ以下であることが挙げられる。
着色剤の体積平均粒径とは、着色剤そのものの粒径、又は着色剤に分散剤等の添加物が付着している場合には、添加物が付着した粒径をいう。体積平均粒径の測定装置には、マイクロトラックＵＰＡ粒度分析計  ９３４０  （Ｌｅｅｄｓ＆Ｎｏｒｔｈｒｕｐ社製）により行う。その測定は、インク４ｍｌを測定セルに入れて行った。なお、測定時の入力値として、粘度にはインクの粘度を、分散粒子の密度は着色剤の密度とした。
【００９５】
着色剤の含有量（濃度）は、例えば、インクに対して０．５質量％以上１５質量％以下が好ましく、１質量％以上１０質量％以下がより好ましい。
【００９６】
（界面活性剤）
界面活性剤としては、アニオン性界面活性剤、ノニオン性界面活性剤、カチオン性界面活性剤、両性界面活性剤等が挙げられ、望ましくは、アニオン性界面活性剤、ノニオン性界面活性剤である。
【００９７】
アニオン性界面活性剤としては、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が挙げられる。
これらの中でも、アニオン性界面活性剤としては、ドデシルベンゼンスルホン酸塩、イソプロピルナフタレンスルホン酸塩、モノブチルフェニルフェノールモノスルホン酸塩、モノブチルビフェニルスルホン酸塩、モノブチルビフェニルスルホン酸塩、ジブチルフェニルフェノールジスルホン酸塩等がよい。
【００９８】
ノニオン性界面活性剤としては、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、アルキルアルカノールアミド、ポリエチレングリコールポリプロピレングリコールブロックコポリマー、アセチレングリコール、アセチレングリコールのポリオキシエチレン付加物等が挙げられる。
これらの中でも、ノニオン性界面活性剤としては、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、ポリエチレングリコールポリプロピレングリコールブロックコポリマー、アセチレングリコール、アセチレングリコールのポリオキシエチレン付加物がよい。
【００９９】
ノニオン性界面活性剤としては、その他、ポリシロキサンオキシエチレン付加物等のシリコーン界面活性剤；パーフルオロアルキルカルボン酸塩、パーフルオロアルキルスルホン酸塩、オキシエチレンパーフルオロアルキルエーテル等のフッ素界面活性剤；スピクリスポール酸やラムノリピド、リゾレシチン等のバイオサーファクタント；等も挙げられる。
【０１００】
界面活性剤の親水性／疎水性バランス（ＨＬＢ）は、溶解性等を考慮すると例えば３以上２０以下の範囲がよい。
【０１０１】
界面活性剤は、１種類で使用しても２種類以上を併用してもよい。
【０１０２】
界面活性剤の含有量は、インクに対して０．１質量％以上１０質量％以下が好ましく、０．１質量％以上５質量％以下がより好ましく、０．２質量％以上３質量％以下がさらに好ましい。
【０１０３】
（その他添加剤）
その他添加剤としては、インク吐出性改善剤（ポリエチレンイミン、ポリアミン類、ポリビニルピロリドン、ポリエチレングリコール、エチルセルロース、カルボキシメチルセルロース等）、導電率／ｐＨ調整剤（水酸化カリウム、水酸化ナトリウム、水酸化リチウム等のアルカリ金属類の化合物等）、反応性の希釈溶媒、浸透剤、ｐＨ緩衝剤、酸化防止剤、防カビ剤、粘度調製剤、導電剤、キレート化剤、紫外線吸収剤、赤外線吸収剤等の周知の添加剤が挙げられる。
【０１０４】
（インクの物性）
本実施形態に係るインクの表面張力は、例えば２０ｍＮ／ｍ以上４５ｍＮ／ｍ以下の範囲が挙げられる。
ここで、表面張力としては、ウイルヘルミー型表面張力計（協和界面科学株式会社製）を用い、２３℃、５５％ＲＨの環境において測定した値を採用した。
【０１０５】
本実施形態に係るインクの粘度は、例えば１．５ｍＰａ・ｓ以上３０ｍＰａ・ｓ以下の範囲が挙げられる。ここで、粘度としては、ＴＶ−２０（東機産業製）を測定装置として用いて、測定温度は２３℃、せん断速度は７５０ｓ−１の条件で測定した値を採用した。
【０１０６】
［記録装置／記録方法］
本実施形態に係る記録装置は、本実施形態に係るインク（紫外線硬化型水性インク）を吐出する吐出装置と、吐出されたインクに対して、３７５ｎｍ以上４５０ｎｍ以下の波長領域の紫外線を照射する紫外線照射装置と、を備える。
【０１０７】
本実施形態に係る記録装置では、本実施形態に係るインク（紫外線硬化型水性インク）を吐出する工程と、吐出されたインクに対して、３７５ｎｍ以上４５０ｎｍ以下の波長領域の紫外線を照射する工程と、を有する記録方法が実施される。
【０１０８】
本実施形態に係る記録装置には、本実施形態に係るインク（紫外線硬化型水性インク）を収容し、当該記録装置に着脱されるようカートリッジ化されたインクカートリッジを備えていてもよい。
【０１０９】
以下、本実施形態に係る記録装置について図面を参照しつつ説明する。
図１は、本実施形態に係るインクジェット記録装置を示す概略構成図である。図２は、本実施形態に係るインクジェット記録装置における記録ヘッド周辺を示す部分平面図である。
【０１１０】
本実施形態に係るインクジェット記録装置１２は、例えば、図１〜２に示すように、筐体１４内の下部に、給紙容器１６が備えられており、給紙容器１６内に積層された用紙Ｐ（記録媒体の一例）を取り出しロール１８で１枚ずつ取り出す機構を有している。取り出された用紙Ｐは、搬入経路２２を構成する複数の搬入ローラ対２０で搬送される。
【０１１１】
給紙容器１６の上方には、駆動ロール２４及び従動ロール２６に張力を付与されつつ支持された無端状の搬送ベルト２８が配置されている。搬送ベルト２８の上方には記録ヘッド３０（吐出装置の一例）が配置されており、搬送ベルト２８における平坦部分に対向している。この記録ヘッド３０が搬送ベルト２８の平坦部分に対向した領域が、記録ヘッド３０から用紙Ｐにインクの液滴が吐出される吐出領域となっている。搬入ローラ対２０を搬送された用紙Ｐは、搬送ベルト２８で保持されてこの吐出領域に至り、記録ヘッド３０に対向した状態となり、記録ヘッド３０から画像情報に応じて吐出されたインクの液滴が用紙Ｐの表面に付着する。
【０１１２】
ここで、各色の記録ヘッド３０は、それぞれ、インクジェット記録装置１２に着脱される各色のインクカートリッジ３０Ａと供給管（不図示）を通じて連結され、インクカートリッジ３０Ａにより、各色のインクがそれぞれ記録ヘッド３０へ供給される。
【０１１３】
記録ヘッド３０は、例えば、図２に示すように、有効な記録領域（インクを吐出するノズルの配置領域）が用紙Ｐの幅（用紙Ｐの搬送方向と交差（例えば直交）する方向の長さ）以上とされた長尺状の記録ヘッドである。
なお、記録ヘッド３０は、これに限られず、用紙Ｐの幅よりも短尺状の記録ヘッドであって、用紙Ｐの幅方向に移動してインクを吐出する方式（所謂キャリッジ方式）の記録ヘッドであってもよい。
【０１１４】
記録ヘッド３０は、インクの液滴を熱により吐出する、所謂サーマル方式であってもよいし、インクの液滴を圧力により吐出する、所謂圧電方式等、公知のものが適用される。
【０１１５】
記録ヘッド３０としては、例えば、イエロー（Ｙ）、マゼンタ（Ｍ）、シアン（Ｃ）、及びブラック（Ｋ）の４色それぞれに対応した４つの記録ヘッドが搬送方向に沿ってアレイ状に配置されている。無論、記録ヘッド３０は、上記４色のそれぞれに対応した４つの記録ヘッド３０を配置する形態に限られず、目的に応じて、ブラック（Ｋ）に対応した一つの記録ヘッド３０を配置した形態であってよいし、他の中間色を加えた４色以上のそれぞれに対応した４つ以上の記録ヘッド３０を配置した形態であってもよい。
【０１１６】
記録ヘッド３０の上流側（用紙Ｐの搬送方向上流側）には、帯電ロール３２が配置されている。帯電ロール３２は、従動ロール２６との間で搬送ベルト２８及び用紙Ｐを挟みつつ従動し、接地された従動ロール２６との間に電位差を生じさせ、用紙Ｐに電荷を与えて搬送ベルト２８に静電吸着させる。
【０１１７】
記録ヘッド３０の下流側（用紙Ｐの搬送方向下流側）には、搬送ベルト２８の上方に、紫外線照射装置５０が配置されている。
【０１１８】
紫外線照射装置５０は、搬送ベルト２８の上の用紙Ｐに付着したインクに対して、紫外線を照射する。
【０１１９】
紫外線照射装置５０は、例えば、図２に示すように、有効な紫外線照射領域（紫外線する光源の配置領域）が記録ヘッド３０による記録可能領域の幅（用紙Ｐの搬送方向と交差（例えば直交）する方向）以上とされた長尺状の紫外線照射装置である。
なお、紫外線照射装置５０は、これに限られず、記録ヘッド３０による記録可能領域の幅よりも短尺状の紫外線照射装置であって、記録ヘッド３０による記録領域の幅方向に移動して紫外線を照射する方式（所謂キャリッジ方式）の紫外線照射装置であってもよい。
【０１２０】
紫外線照射装置５０の光源としては、エネルギー効率の良い可視域に近い長波長側の波長領域（３７５ｎｍ以上４５０ｎｍ以下の波長領域）の紫外線を照射する光源が適用される。具体的には、発光ダイオード（ＬＥＤ）、半導体レーザ（ＬＤ、ＶＣＳＥＬ）、レーザ波長変換光源等が挙げられる。
これらの中でも、紫外線照射装置５０の光源としては、紫外線発光ダイオード（Ｕｌｔｒａｖｉｏｌｅｔ  Ｌｉｇｈｔ  Ｅｍｉｔｔｉｎｇ  Ｄｉｏｄｅ；「ＵＶ−ＬＥＤ」）がよい。
【０１２１】
紫外線照射装置５０の下流側（用紙Ｐの搬送方向下流側）には、剥離板３４が配置されており、用紙Ｐを搬送ベルト２８から剥離させる。剥離された用紙Ｐは、剥離板３４の下流側（用紙Ｐの搬送方向下流側）で排出経路３６を構成する複数の排出ローラ対３８で搬送され、筐体１４の上部に設けられた排紙容器４０に排出される。
【０１２２】
次に、本実施形態に係る記録装置１２の動作について説明する。
本実施形態に係る記録装置１２では、用紙Ｐは、給紙容器１６から取り出しロール１８で１枚ずつ取り出され、搬入経路２２を経由して搬送ベルト２８へ搬送される。
次に、用紙Ｐは、帯電ロール３２により搬送ベルト２８に静電吸着され、搬送ベルト２８の回転により記録ヘッド３０の下方へ搬送される。
次に、用紙Ｐは、記録ヘッド３０により、インクが吐出され、目的とする画像が記録される。
【０１２３】
次に、用紙Ｐに付着したインクに対して、紫外線照射装置５０により紫外線が照射され、インク中の紫外線重合性化合物の硬化反応（重合反応）が進行し、インク（インクによる画像）が硬化して用紙Ｐに固定化する。
【０１２４】
ここで、紫外線照射装置５０の紫外線照射条件としては、インク中に含まれる紫外線重合性化合物の種類等により変わるが、例えば、用紙Ｐ上に吐出されたインク中の紫外線重合性化合物の硬化反応（重合反応）が進行して硬化する条件であることがよい。
具体的には、紫外線照射条件としては、例えば、波長領域（中心波長）が３７５ｎｍ以上４５０ｎｍ以下、照射強度が１０ｍＷ／ｃｍ２以上５０００ｍＷ／ｃｍ２以下（望ましくは５０ｍＷ／ｃｍ２以上５００ｍＷ／ｃｍ２以下）、照射時間が０．１ミリ秒以上１０秒以下（望ましくは１０ミリ秒以上１００ミリ秒以下）であることがよい。
【０１２５】
次に、インク（インクによる画像）が固定化（形成）された用紙Ｐは、排出経路３６を経由し、排紙容器４０に排出される。
【０１２６】
このようにして、本実施形態に係る記録装置１２では、インク（インクによる画像）が固定化（形成）された用紙Ｐが得られる。
【０１２７】
なお、本実施形態に係る記録装置１２では、記録ヘッド３０によってインクの液滴を用紙Ｐの表面に直接吐出する方式について説明したが、これに限られず、例えば中間転写体にインクの液滴を吐出した後に、中間転写体上のインクの液滴を用紙Ｐに転写する方式であってもよい。
【０１２８】
また、本実施形態に係る記録装置１２では、用紙Ｐとして枚葉紙にインク（インクによる画像）を固定化（形成）する方式について説明したが、連帳機を用いて、用紙Ｐとしてロール紙にインク（インクによる画像）を固定化（形成）する方式であってもよい。
【０１２９】
また、本実施形態は、限定的に解釈されるものではなく、本発明の要件を満足する範囲内で実現可能であることは、言うまでもない。
【実施例】
【０１３０】
以下、実施例を挙げてさらに具体的に説明する。ただし、これら各実施例により特に制限されるものではない。
【０１３１】
［実施例１］
・ウレタンアクリレートオリゴマー水性エマルション：  ６２．５質量部
（紫外線重合性化合物成分４０質量％：荒川化学工業社製）
・シアン顔料水性分散液：  ２０質量部
（Ｃａｂｏｔ社製：顔料濃度１０質量％）
・４−（２−ヒドロキシエチル）モルホリン（ＭＯ−１）：  １０質量部
・グリセリン：  ４質量部
・サーフィノール  ４４０（日信化学社製）：  ３質量部
・酢酸：  ２質量部
・Ｋａｙａｃｕｒｅ  ＤＥＴＸ−Ｓ：  １．５質量部
（非水溶性の紫外線重合開始剤：チオキサントン化合物：２，４−ジエチルチオキサントン：日本化薬社製）
・Ｋａｙａｃｕｒｅ  ＥＰＡ：  １質量部
（非水溶性の３級アミン化合物：４−ジメチルアミノ安息香酸エチル：日本化薬社製）
・純水：  ５質量部
【０１３２】
上記組成の材料を混合したのち、５μｍのフィルターでろ過を行い、シアン色の紫外線硬化型水性インクを得た。
なお、Ｋａｙａｃｕｒｅ  ＤＥＴＸ−Ｓ（紫外線重合開始剤）は、３８５ｎｍ近傍に吸収ピークを有する。また、４−（２−ヒドロキシエチル）モルホリンはＫａｙａｃｕｒｅ  ＤＥＴＸ−Ｓの溶解度（２５℃）が１５質量％であり、Ｋａｙａｃｕｒｅ  ＥＰＡの溶解度（２５℃）が３０質量％であり、その合計の溶解度が２５質量％であった。
【０１３３】
［比較例１］
・ウレタンアクリレートオリゴマー水性エマルション：  ６２．５質量部
（紫外線重合性化合物成分４０質量％：荒川化学工業社製）
・シアン顔料水性分散液：  ２０質量部
（Ｃａｂｏｔ社製：顔料濃度１０質量％）
・４−（２−ヒドロキシエチル）モルホリン（ＭＯ−１）：  １０質量部
・グリセリン：  ４質量部
・サーフィノール  ４４０（日信化学社製）：  ３質量部
・酢酸：  ２質量部
・Ｄａｒｏｃｕｒｅ  １１７３：  ２質量部
（水溶性の紫外線重合開始剤：アシルホスフィンオキサイド化合物：２−ヒドロキシ−２−メチル−１−フェニル−プロパン−１−オン：ＢＡＳＦ社製）
・純水：  ５質量部
【０１３４】
上記組成の材料を混合したのち、５μｍのフィルターでろ過を行い、シアン色の紫外線硬化型水性インクを得た。
なお、Ｄａｒｏｃｕｒｅ  １１７３（紫外線重合開始剤）は、３２０ｎｍ近傍及び３００ｎｍ未満の領域に吸収ピークを有する。
【０１３５】
［比較例２］
・ウレタンアクリレートオリゴマー水性エマルション：  ６２．５質量部
（紫外線重合性化合物成分４０質量％：荒川化学工業社製）
・シアン顔料水性分散液：  ２０質量部
（Ｃａｂｏｔ社製：顔料濃度１０質量％）
・グリセリン：：  １４質量部
・サーフィノール  ４４０（日信化学社製）：  ３質量部
・Ｋａｙａｃｕｒｅ  ＤＥＴＸ−Ｓ：  １．５質量部
（非水溶性の紫外線重合開始剤：チオキサントン化合物：２，４−ジエチルチオキサントン：日本化薬社製）
・Ｋａｙａｃｕｒｅ  ＥＰＡ：  １質量部
（非水溶性の３級アミン化合物：４−ジメチルアミノ安息香酸エチル：日本化薬社製）
・純水：  ５質量部
【０１３６】
上記組成の材料を混合したのち、５μｍのフィルターでろ過を行い、シアン色の紫外線硬化型水性インクを得た。
なお、Ｋａｙａｃｕｒｅ  ＤＥＴＸ−Ｓ（紫外線重合開始剤）は、３８５ｎｍ近傍に吸収ピークを有する。また、グリセリンは、Ｋａｙａｃｕｒｅ  ＤＥＴＸ−Ｓの溶解度（２５℃）が１質量％未満であり、Ｋａｙａｃｕｒｅ  ＥＰＡの溶解度（２５℃）が１質量％未満であり、その合計の溶解度が１質量％未満であり、これら化合物を溶解できなかった。
【０１３７】
［実施例２］
・ウレタンアクリレートオリゴマー水性エマルション：  ５０質量部
（紫外線重合性化合物成分４０質量％：荒川化学工業社製）
・シアン顔料水性分散液：  ２０質量部
（Ｃａｂｏｔ社製：顔料濃度１０質量％）
・４−エチルモルホリン（ＭＯ−２）：  ８質量部
・サーフィノール  ４６５（日信化学社製）  ：  ２質量部
・酢酸：  ２質量部
・２−イソプロピルチオキサントン：  ０．５５質量部
（非水溶性の紫外線重合開始剤：チオキサントン化合物：東京化成工業社製）
・Ｋａｙａｃｕｒｅ  ＥＰＡ：  ０．４５質量部
（非水溶性の３級アミン化合物：４−ジメチルアミノ安息香酸エチル：日本化薬社製）
・純水：  １５質量部
【０１３８】
上記組成の材料を混合したのち、５μｍのフィルターでろ過を行い、シアン色の紫外線硬化型水性インクを得た。
なお、２−イソプロピルチオキサントン（紫外線重合開始剤）は、３８０ｎｍに吸収ピークを有する。また、４−エチルモルホリンは２−イソプロピルチオキサントンの溶解度（２５℃）が３０質量％であり、Ｋａｙａｃｕｒｅ  ＥＰＡの溶解度（２５℃）が４０質量％であり、その合計の溶解度が５０質量％であった。
【０１３９】
［実施例３］
・ウレタンアクリレートオリゴマー水性エマルション：  ５０質量部
（紫外線重合性化合物成分４０質量％：荒川化学工業社製）
・シアン顔料水性分散液：  ３０質量部
（Ｃａｂｏｔ社製：顔料濃度１０質量％）
・グリセリン：  ５質量部
・２−（２−ブトキシエトキシ）エタノール：  ５質量部
・オルフィンＥ１０１０（日信化学社製）：  １．５質量部
・酢酸：  ２質量部
・Ｋａｙａｃｕｒｅ  ＤＥＴＸ−Ｓ：  ０．８質量部
（非水溶性の紫外線重合開始剤：チオキサントン化合物：２，４−ジエチルチオキサントン：日本化薬社製）
・Ｋａｙａｃｕｒｅ  ＥＰＡ：  ０．５質量部
（非水溶性の３級アミン化合物：４−ジメチルアミノ安息香酸エチル：日本化薬社製）
・純水：  １０質量部
【０１４０】
上記組成の材料を混合したのち、５μｍのフィルターでろ過を行い、シアン色の紫外線硬化型水性インクを得た。
なお、Ｋａｙａｃｕｒｅ  ＤＥＴＸ−Ｓ（紫外線重合開始剤）は、３８５ｎｍ近傍に吸収ピークを有する。また、２−（２−ブトキシエトキシ）エタノールはＫａｙａｃｕｒｅ  ＤＥＴＸ−Ｓの溶解度（２５℃）が１７質量％であり、Ｋａｙａｃｕｒｅ  ＥＰＡの溶解度（２５℃）が３０質量％であり、その合計の溶解度が３５質量％であった。
【０１４１】
［実施例４］
・ウレタンアクリレートオリゴマー水性エマルション：  ４０質量部
（紫外線重合性化合物成分４０質量％：荒川化学工業社製）
・ブラック顔料水性分散液：  ２０質量部
（Ｃａｂｏｔ社製：顔料濃度１０質量％）
・グリセリン：  ５質量部
・３−モルホリノ−１，２−プロパンジオール（ＭＯ−３）：  ５質量部
・オルフィンＥ１００４（日信化学社製）：  ２質量部
・Ｋａｙａｃｕｒｅ  ＤＥＴＸ−Ｓ：  ０．６質量部
（非水溶性の紫外線重合開始剤：チオキサントン化合物：２，４−ジエチルチオキサントン：日本化薬社製）
・Ｋａｙａｃｕｒｅ  ＥＰＡ：  ０．４質量部
（非水溶性の３級アミン化合物：４−ジメチルアミノ安息香酸エチル：日本化薬社製）
・純水：  ５質量部
【０１４２】
上記組成の材料を混合したのち、５μｍのフィルターでろ過を行い、ブラック色の紫外線硬化型水性インクを得た。
【０１４３】
なお、Ｋａｙａｃｕｒｅ  ＤＥＴＸ−Ｓ（紫外線重合開始剤）は、３８５ｎｍに吸収ピークを有する。また、３−モルホリノ−１，２−プロパンジオールはＫａｙａｃｕｒｅ  ＤＥＴＸ−Ｓの溶解度（２５℃）が９質量％であり、Ｋａｙａｃｕｒｅ  ＥＰＡの溶解度（２５℃）が３０質量％であり、その合計の溶解度が２２質量％であった。
【０１４４】
［実施例５］
・ウレタンアクリレートオリゴマー水性エマルション：  ７０質量部
（紫外線重合性化合物成分４０質量％：荒川化学工業社製）
・ブラック顔料水性分散液：  ３０質量部
（Ｃａｂｏｔ社製：顔料濃度１０質量％）
・グリセリン：  ５質量部
・３−メチルスルホラン：  ８質量部
・サーフィノール  ４４０（日信化学社製）：  ２質量部
・Ｋａｙａｃｕｒｅ  ＤＥＴＸ−Ｓ：  １．５質量部
（非水溶性の紫外線重合開始剤：チオキサントン化合物：２，４−ジエチルチオキサントン：日本化薬社製）
・Ｋａｙａｃｕｒｅ  ＥＰＡ：  １質量部
（非水溶性の３級アミン化合物：４−ジメチルアミノ安息香酸エチル：日本化薬社製）
・純水：  ５質量部
【０１４５】
上記組成の材料を混合したのち、５μｍのフィルターでろ過を行い、ブラック色の紫外線硬化型水性インクを得た。
なお、Ｋａｙａｃｕｒｅ  ＤＥＴＸ−Ｓ（紫外線重合開始剤）は、３８５ｎｍに吸収ピークを有する。また、３−メチルスルホランは、Ｋａｙａｃｕｒｅ  ＤＥＴＸ−Ｓの溶解度（２５℃）が４質量％であり、Ｋａｙａｃｕｒｅ  ＥＰＡの溶解度（２５℃）が１８質量％であり、その合計の溶解度が１５質量％であった。
【０１４６】
実施例６
・ウレタンアクリレートオリゴマー水性エマルション：  ４２．９質量部
（紫外線重合性化合物成分３５質量％：  ダイセルサイテック社製）
・マゼンタ顔料水性分散液：  ２０質量部
（Ｃａｂｏｔ社製：顔料濃度１０質量％）
・４−アセチルモルホリン（ＭＯ−５）：  １２質量部
・グリセリン：  ５質量部
・サーフィノール  ４４０（日信化学社製）：  ３質量部
・酢酸：  ３質量部
・Ｋａｙａｃｕｒｅ  ＤＥＴＸ−Ｓ：  １．５質量部
（非水溶性の紫外線重合開始剤：チオキサントン化合物：２，４−ジエチルチオキサントン：日本化薬社製）
・Ｋａｙａｃｕｒｅ  ＥＰＡ：  １質量部
（非水溶性の３級アミン化合物：４−ジメチルアミノ安息香酸エチル：日本化薬社製）
・純水：  ５質量部
【０１４７】
上記組成の材料を混合したのち、５μｍのフィルターでろ過を行い、マゼンタ色の紫外線硬化型水性インクを得た。
なお、Ｋａｙａｃｕｒｅ  ＤＥＴＸ−Ｓ（紫外線重合開始剤）は、３８５ｎｍ近傍に吸収ピークを有する。また、４−アセチルモルホリンはＫａｙａｃｕｒｅ  ＤＥＴＸ−Ｓの溶解度（２５℃）が２０質量％であり、Ｋａｙａｃｕｒｅ  ＥＰＡの溶解度（２５℃）が３５質量％であり、その合計の溶解度が３０質量％であった。
【０１４８】
実施例７
・ウレタンアクリレートオリゴマー水性エマルション：  ５７．１質量部
（紫外線重合性化合物成分３５質量％：  ダイセルサイテック社製）
・イエロー顔料水性分散液：  ２０質量部
（Ｃａｂｏｔ社製：顔料濃度１０質量％）
・４−２−アミノエチルモルホリン（ＭＯ−６）：  ７質量部
・グリセリン：  ７質量部
・サーフィノール  ４４０（日信化学社製）：  ２質量部
・酢酸：  ２質量部
・Ｋａｙａｃｕｒｅ  ＤＥＴＸ−Ｓ：  １．２質量部
（非水溶性の紫外線重合開始剤：チオキサントン化合物：２，４−ジエチルチオキサントン：日本化薬社製）
・Ｋａｙａｃｕｒｅ  ＥＰＡ：  ０．８質量部
（非水溶性の３級アミン化合物：４−ジメチルアミノ安息香酸エチル：日本化薬社製）
・純水：  ５質量部
【０１４９】
上記組成の材料を混合したのち、５μｍのフィルターでろ過を行い、イエロー色の紫外線硬化型水性インクを得た。
なお、Ｋａｙａｃｕｒｅ  ＤＥＴＸ−Ｓ（紫外線重合開始剤）は、３８５ｎｍ近傍に吸収ピークを有する。また、４−２−アミノエチルモルホリンはＫａｙａｃｕｒｅ  ＤＥＴＸ−Ｓの溶解度（２５℃）が１４質量％であり、Ｋａｙａｃｕｒｅ  ＥＰＡの溶解度（２５℃）が３０質量％であり、その合計の溶解度が２５質量％であった。
【０１５０】
［実施例８］
・ウレタンアクリレートオリゴマー水性エマルション：  ５０質量部
（紫外線重合性化合物成分４０質量％：  荒川化学工業社製）
・シアン顔料水性分散液：  ２５質量部
（Ｃａｂｏｔ社製：顔料濃度１０質量％）
・４−（２−ヒドロキシエチル）モルホリン（ＭＯ−１）：  １５質量部
・グリセリン：  ６質量部
・サーフィノール  ４４０（日信化学社製）：  ２．５質量部
・塩酸：  １．５質量部
・イソプロピルチオキサントン：  １．２質量部
（非水溶性の紫外線重合開始剤）
・４−ジエチルアミノ安息香酸エチル：  ０．８質量部
（非水溶性の３級アミン化合物）
・純水：  ５質量部
【０１５１】
上記組成の材料を混合したのち、５μｍのフィルターでろ過を行い、シアン色の紫外線硬化型水性インクを得た。
なお、イソプロピルチオキサントンは、３８５ｎｍ近傍に吸収ピークを有する。また、４−（２−ヒドロキシエチル）モルホリンはイソプロピルチオキサントンの溶解度（２５℃）が１３質量％であり、４−ジエチルアミノ安息香酸エチルの溶解度（２５℃）が２７質量％であり、その合計の溶解度が２５質量％であった。
【０１５２】
実施例９
・ウレタンアクリレートオリゴマー水性エマルション：  ４５質量部
（紫外線重合性化合物成分４０質量％：  荒川化学工業社製）
・ブラック顔料水性分散液：  ２５質量部
（Ｃａｂｏｔ社製：顔料濃度１０質量％）
・グリセリン：  ５質量部
・４−ヒドロキシプロピルモルホリン（ＭＯ−１０）：  ５質量部
・オルフィンＥ１０１０（日信化学社製）：  ２．５質量部
・メチルイソプロピルチオキサントン：  ０．６質量部
（非水溶性の紫外線重合開始剤）
・４−ジメチルアミノ安息香酸３−メチルブチル：  ０．４質量部
（非水溶性の３級アミン化合物）
・純水：    １０  質量部
【０１５３】
上記組成の材料を混合したのち、５μｍのフィルターでろ過を行い、ブラック色の紫外線硬化型水性インクを得た。
なお、メチルイソプロピルチオキサントン（紫外線重合開始剤）は、３８５ｎｍに吸収ピークを有する。また、４−ヒドロキシプロピルモルホリンはメチルイソプロピルチオキサントンの溶解度（２５℃）が７質量％であり、Ｋａｙａｃｕｒｅ  ＥＰＡの溶解度（２５℃）が１８質量％であり、その合計の溶解度が２０質量％であった。
【０１５４】
比較例３
・ウレタンアクリレートオリゴマー水性エマルション：  ４２．９質量部
（紫外線重合性化合物成分３５質量％：  ダイセルサイテック社製）
・イエロー顔料水性分散液：  ２０質量部
（Ｃａｂｏｔ社製：顔料濃度１０質量％）
・４−ヒドロキシプロピルモルホリン（ＭＯ−１０）：  ５質量部
・グリセリン：  ５質量部
・サーフィノール  ４４０（日信化学社製）：１．７質量部
・クロロチオキサントン：  １．５質量部
（非水溶性の紫外線重合開始剤）
・純水：  ５質量部
【０１５５】
上記組成の材料を混合したのち、５μｍのフィルターでろ過を行い、マゼンタ色の紫外線硬化型水性インクを得た。
なお、クロロチオキサントン（紫外線重合開始剤）は、３８５ｎｍ近傍に吸収ピークを有する。また、４−ヒドロキシプロピルモルホリンはクロロチオキサントンの溶解度（２５℃）が２０質量％であった。
【０１５６】
［評価］
各例で得られた紫外線硬化型水溶性インクについて、以下の評価を行った。評価結果を表１に示す。
【０１５７】
−析出物評価−
各例で得られた紫外線硬化型水溶性インクを室温（２５℃）にて１週間保管したのち、析出物があるかどうかを目視確認した。評価基準は以下の通りである。
Ｇ１：析出なし
Ｇ２：析出あり
【０１５８】
−インク硬化性評価−
各例で得られた紫外線硬化型水溶性インクをスリットコーターによりＯＨＰ（ｏｖｅｒｈｅａｄ  ｐｒｏｊｅｃｔｏｒ）シート上に厚さ約１８μｍの膜厚で塗布した後、３９５ｎｍの発光波長を有するＵＶ−ＬＥＤランプにより強度２Ｗ／ｃｍ２の紫外線を照射し、硬化するまでの積算光量を測定した。なお、硬化膜の表面を指で触れ、痕が残るかどうかを目視で確認し、指触痕が発生しなくなったときに硬化したと判断した。評価基準は以下の通りである。
Ｇ１：積算光量が６Ｊ／ｃｍ２未満で硬化
Ｇ２：積算光量が６Ｊ／ｃｍ２以上で硬化又は硬化しない
【０１５９】
−画質評価−
各例で得られた紫外線硬化型水溶性インクを解像度１２００ｄｐｉ（ｄｏｔ  ｐｅｒ  ｉｎｃｈ）のピエゾヘッドを用いてＮｅｘｔ−ＩＪ紙上に、ライン、テキスト、およびソリッド画像を印字した後、３９５ｎｍの発光波長を有するＵＶ−ＬＥＤランプにより積算光量１０Ｊ／ｃｍ２となる条件で紫外線を照射し、印字した画像の画質を評価した。評価基準は、以下の通りである。
Ｇ１：大きな画像の抜けがなく、顕著な画像にじみなし
Ｇ２：顕著な画像にじみはないが、画像がやや濁り気味
Ｇ３：記録ヘッドからのインクの不吐出による画像抜け多数、及び顕著な画像にじみの少なくとも一方が発生
【０１６０】
−オフセット評価−
各例で得られた紫外線硬化型水溶性インクを、連帳機により搬送速度２０ｍｍ／ｓで搬送するロール紙上にライン上の画像を連続印字した後、３９５ｎｍの発光波長を有するＵＶ−ＬＥＤランプにより積算光量１０Ｊ／ｃｍ２条件で紫外線を照射した後、ロール紙を巻き取った。そして、ロール巻き取り状態で放置後、印字裏面側のオフセットレベルを評価した。評価基準は以下の通りである。
Ｇ１：オフセットなし
Ｇ２：僅かにオフセットあり
Ｇ３：多少のオフセットあり
Ｇ４：明らかなオフセットあり、裏写りにより表画像の画質が劣化。
【０１６１】
【表１】
2014227523.tif 000006
【０１６２】
上記結果から、本実施例は、比較例に比べ、析出物評価、インク硬化性評価、画質評価、オフセット評価について共に優れた結果が得られたことがわかる。
【符号の説明】
【０１６３】
１２  インクジェット記録装置
１４  筐体
１６  給紙容器
１８  取り出しロール
２０  搬入ローラ対
２２  搬入経路
２４  駆動ロール
２６  従動ロール
２８  搬送ベルト
３０  記録ヘッド
３０Ａ  インクカートリッジ
３２  帯電ロール
３４  剥離板
３６  排出経路
３８  排出ローラ対
４０  排紙容器
５０紫外線照射装置
Ｐ  用紙
【図１】
2014227523.tif 000007
【図２】
2014227523.tif 000008